(57)【要約】【課題】分岐回路ごとに電力消費の抑制をユーザに促すことのできる制御方法等を提供する。【解決手段】需要家の施設１における一以上の機器３を制御するためのネットワークに接続された、ディスプレイを有する情報端末５の制御方法であって、施設１が節電要請の対象となっている第１期間、または、第１期間より前の所定の期間である第２期間において、施設１の各分岐回路４１の現在の消費電力量である第１消費電力量および施設１の各分岐回路４１の過去の消費電力量である第２消費電力量を示す情報を取得して生成した第１消費電力量および第２消費電力量に関する情報を共に示す画面をディスプレイ５１で表示させる制御を情報端末５のコンピュータに対して行う制御ステップ（Ｓ２）を含む。【選択図】図１０
2017038452.tif 000002
【特許請求の範囲】
【請求項１】
需要家の施設における一以上の機器を制御するためのネットワークに接続された、ディスプレイを有する情報端末の制御方法であって、
前記施設が節電要請の対象となっている第１期間、または、前記第１期間より前の所定の期間である第２期間において、
前記施設の各分岐回路の現在の消費電力量である第１消費電力量および前記施設の前記各分岐回路の過去の消費電力量である第２消費電力量を示す情報を取得して生成した前記第１消費電力量および前記第２消費電力量に関する情報を共に示す画面を前記ディスプレイで表示させる制御を前記情報端末のコンピュータに対して行う制御ステップを含む、
制御方法。
【請求項２】
前記第１消費電力量は、現在の時刻を含む時間帯における前記各分岐回路の消費電力量であり、
前記第２消費電力量は、現在の時刻と同一の過去の時刻を含む時間帯における前記各分岐回路の消費電力量である、
請求項１に記載の制御方法。
【請求項３】
前記第１消費電力量は、前記現在の季節における前記各分岐回路の消費電力量であり、
前記第２消費電力量は、
前記現在の季節と同一の過去の季節における前記各分岐回路の消費電力量である、
請求項１または２に記載の制御方法。
【請求項４】
前記第２消費電力量は、
前記現在の前記施設における人の在否の情報と同一の人の在否の情報を示す過去における前記各分岐回路の消費電力量である、
請求項１〜３のいずれか１項に記載の制御方法。
【請求項５】
前記第２消費電力量は、
前記現在の前記施設の周辺の環境情報と同一の前記施設の周辺の環境情報を示す過去における前記各分岐回路の消費電力量である、
請求項１〜４のいずれか１項に記載の制御方法。
【請求項６】
前記第２消費電力量は、
前記施設が過去に節電要請の対象となった期間における前記各分岐回路の消費電力量である、
請求項１〜５のいずれか１項に記載の制御方法。
【請求項７】
前記第２期間は、前記第１期間に前記施設が節電要請の対象になっている旨を示す通知が前記一以上の機器のいずれかまたは前記情報端末により受信された時点から開始する期間である、
請求項１〜６のいずれか１項に記載の制御方法。
【請求項８】
前記制御ステップでは、
さらに、前記ディスプレイに、前記施設における人の在否の情報を表示させる制御を行うステップを含む、
請求項１〜７のいずれか１項に記載の制御方法。
【請求項９】
前記制御ステップでは、
さらに、前記ディスプレイに、前記施設に存在する人の人数の情報を表示させる制御を行うステップを含む、
請求項８に記載の制御方法。
【請求項１０】
前記制御ステップでは、
さらに、前記ディスプレイに前記各分岐回路に接続されている一以上の機器の種類または名称を表示させる制御を行うステップを含む、
請求項１〜９のいずれか１項に記載の制御方法。
【請求項１１】
前記制御ステップでは、
さらに、前記ディスプレイに前記各分岐回路に接続されている一以上の機器それぞれの動作状況を表示させる制御を行うステップを含む、
請求項１０に記載の制御方法。
【請求項１２】
前記制御ステップでは、
さらに、前記第１期間または前記第２期間、および、前記施設が過去に節電要請の対象となった期間において、前記各分岐回路に共通して接続されている一以上の機器の種類または名称と、前記各分岐回路に異なって接続されている一以上の機器の種類または名称とを分けて、前記ディスプレイに表示させる制御を行うステップを含む、
請求項１０または１１に記載の制御方法。
【請求項１３】
前記制御ステップでは、
さらに、
前記ディスプレイに前記施設の周辺の環境情報を表示させるステップを含む、
請求項１〜１２のいずれか１項に記載の制御方法。
【請求項１４】
前記制御ステップでは、
さらに、前記施設の少なくとも一の分岐回路に対する電力削減目標値であって前記情報端末のコンピュータに対するユーザ操作により変更可能な電力削減目標値を示す情報を、前記第１消費電力量に関する情報を示す画面に重畳して、前記ディスプレイに表示する制御を行い、
前記制御方法では、さらに、
前記画面に重畳された前記電力削減目標値の実現する前記一の分岐回路に接続される一以上の機器の制御を実行する実行ステップを含む、
請求項１０に記載の制御方法。
【請求項１５】
需要家の施設における一以上の機器を制御するためのネットワークに接続された、ディスプレイを有する情報端末を制御するプログラムであって、
前記施設が節電要請の対象となっている第１期間、または、前記第１期間より前の所定の期間である第２期間において、
前記施設の各分岐回路の現在の消費電力量である第１消費電力量および前記施設の前記各分岐回路の過去の消費電力量である第２消費電力量を取得して生成した前記第１消費電力量および前記第２消費電力量に関する情報を共に示す画面を前記ディスプレイで表示させる制御を前記情報端末のコンピュータに対して行う制御ステップを含む、
プログラム。
【請求項１６】
需要家の施設における一以上の機器を制御するためのネットワークに接続された、ディスプレイを有する情報端末を制御する制御装置であって、
前記施設が節電要請の対象となっている第１期間、または、前記第１期間より前の所定の期間である第２期間において、
前記施設の各分岐回路の現在の消費電力量である第１消費電力量および前記施設の前記各分岐回路の過去の消費電力量である第２消費電力量を取得して生成した前記第１消費電力量および前記第２消費電力量に関する情報を共に示す画面を前記ディスプレイで表示させる制御を前記情報端末に対して行う制御部を備える、
制御装置。
【発明の詳細な説明】
【技術分野】
【０００１】
本発明は、需要家の施設における一以上の機器を制御するためのネットワークに接続された、ディスプレイを有する情報端末を制御する制御方法、制御装置、および、プログラムに関する。
【背景技術】
【０００２】
住宅におけるエネルギー（電力等）の管理の技術として、ＨＥＭＳ（Home Energy Management System）が知られている。ＨＥＭＳでは、住宅におけるＨＥＭＳ機器（例えば電気機器等）の電力消費量を、モニター画面に表示するなど「見える化」する。これにより、ＨＥＭＳ機器（例えば電気機器等）の電力使用量を確認等した住宅の住民等（以下ユーザと記載）に、電力消費の抑制を促すことができる。
【０００３】
例えば、特許文献１では、電気機器の消費電力に関する実績のデータとユーザが設定可能な目標のデータとを画面に表示し、画面を確認しながら目標の消費電力を操作により設定できる技術が開示されている。これによれば、電気機器の消費電力を制御するための目標を簡易に設定することができる。
【先行技術文献】
【特許文献】
【０００４】
【特許文献１】特開２０１４−１４２５１号公報
【発明の概要】
【発明が解決しようとする課題】
【０００５】
しかしながら、特許文献１に開示される技術では、施設における電気料金などの施設の実績のデータと、施設における電気機器の消費電力の目標とを画面で確認しながら設定しているに過ぎない。
【０００６】
本発明は、上述の事情を鑑みてなされたもので、分岐回路ごとに電力消費の抑制をユーザに促すことのできる制御方法、制御装置、および、プログラムを提供することを目的とする。
【課題を解決するための手段】
【０００７】
上記目的を達成するために本発明の一態様に係る制御方法は、需要家の施設における一以上の機器を制御するためのネットワークに接続された、ディスプレイを有する情報端末の制御方法であって、前記施設が節電要請の対象となっている第１期間、または、前記第１期間より前の所定の期間である第２期間において、前記施設の各分岐回路の現在の消費電力量である第１消費電力量および前記施設の前記各分岐回路の過去の消費電力量である第２消費電力量を示す情報を取得して生成した前記第１消費電力量および前記第２消費電力量に関する情報を共に示す画面を前記ディスプレイで表示させる制御を前記情報端末のコンピュータに対して行う制御ステップを含む。
【０００８】
また、上記目的を達成するために本発明の一態様に係るプログラムは、需要家の施設における一以上の機器を制御するためのネットワークに接続された、ディスプレイを有する情報端末を制御するプログラムであって、前記施設が節電要請の対象となっている第１期間、または、前記第１期間より前の所定の期間である第２期間において、前記施設の各分岐回路の現在の消費電力量である第１消費電力量および前記施設の前記各分岐回路の過去の消費電力量である第２消費電力量を取得して生成した前記第１消費電力量および前記第２消費電力量に関する情報を共に示す画面を前記ディスプレイで表示させる制御を前記情報端末のコンピュータに対して行う制御ステップを含む。
【０００９】
また、上記目的を達成するために本発明の一態様に係る制御装置は、需要家の施設における一以上の機器を制御するためのネットワークに接続された、ディスプレイを有する情報端末を制御する制御装置であって、前記施設が節電要請の対象となっている第１期間、または、前記第１期間より前の所定の期間である第２期間において、前記施設の各分岐回路の現在の消費電力量である第１消費電力量および前記施設の前記各分岐回路の過去の消費電力量である第２消費電力量を取得して生成した前記第１消費電力量および前記第２消費電力量に関する情報を共に示す画面を前記ディスプレイで表示させる制御を前記情報端末に対して行う制御部を備える。
【発明の効果】
【００１０】
本発明の一態様に係る制御方法等は、分岐回路ごとに電力消費の抑制をユーザに促すことができる。
【図面の簡単な説明】
【００１１】
【図１】実施の形態１に係るシステムの全体構成の一例を示す図である。
【図２】実施の形態１に係る分電盤の構成の一例を示す図である。
【図３】実施の形態１に係る分電盤の構成の一例を示す図である。
【図４】実施の形態１に係る情報端末の別の態様を示す図である。
【図５】実施の形態１に係る制御装置のハードウェア構成を示す図である。
【図６】実施の形態１に係る制御装置の機能ブロック図である。
【図７】実施の形態１に係る第２期間を示す図である。
【図８】実施の形態１に係る情報端末のディスプレイに表示される画面の一例を示す図である。
【図９】実施の形態１に係る情報端末のディスプレイに表示される画面の一例を示す図である。
【図１０】実施の形態１に係る制御装置の動作例を示すフローチャートである。
【図１１】実施の形態１に係る制御装置の動作例を示すシーケンス図である。
【図１２】実施の形態１の変形例に係る情報端末のディスプレイに表示される画面の一例を示す図である。
【図１３】実施の形態１の変形例に係る情報端末のディスプレイに表示される画面の別の例を示す図である。
【図１４】実施の形態１の変形例に係る情報端末のディスプレイに表示される画面のさらに別の例を示す図である。
【図１５】実施の形態２に係る制御装置の機能ブロック図である。
【図１６】実施の形態２に係る情報端末のディスプレイに表示される画面の一例を示す図である。
【図１７】実施の形態２の変形例に係る情報端末のディスプレイに表示される遷移画面の一例を示す図である。
【図１８】実施の形態２の変形例に係る制御装置の動作例を示すフローチャートである。
【図１９】実施の形態２の変形例に係る情報端末のディスプレイに表示される遷移画面の別の一例を示す図である。
【発明を実施するための形態】
【００１２】
以下、実施の形態について、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１３】
（実施の形態１）
［全体構成］
まず、実施の形態１に係るシステムの全体構成について説明する。図１は、実施の形態１に係るシステムの全体構成の一例を示す図である。図２および図３は、実施の形態１に係る分電盤４の構成の一例を示す図である。図４は、実施の形態１に係る情報端末５の別の態様を示す図である。
【００１４】
図１に示されるシステムは、制御装置２と、１以上の機器３と、分電盤４と、情報端末５とを備える。
【００１５】
施設１は、例えば電力事業者と予め契約を結んだ者（住人等のユーザ）の施設である。施設１では、電力事業者等から系統電力（商用電力）の供給を、施設１内の１以上の機器３により電力を消費する。なお、施設１は、図１では、例えば個別の建造物である住宅として描いているが、これに限られない。個別の建造物である事務所、工場、競技場、ビル、駅等であってもよいし、集合住宅の住戸であってもよい。
【００１６】
機器３は、説明の便宜上、施設１内に設置されている機器３ａ〜機器３ｅを代表的に表したものとする。本実施の形態では、機器３ａは、例えば空調機器（エアコン）であり、機器３ｂは、例えばＬＥＤや蛍光灯などの照明設備であり、機器３ｃは、例えばテレビであり、機器３ｄは、例えば冷蔵庫である。また、機器３ｅは、例えばルータである。機器３ｅ（ルータ）は、ネットワーク６を介して外部サーバ７と接続可能である。
【００１７】
ここでネットワーク６は、広域ネットワーク或いは専用ネットワーク等であり、外部サーバ７は、電力会社等が所有するコンピュータ（例えばＨＥＭＳサーバ）であり、機器３ｅ（ルータ）を介して制御装置２にＤＲ要請（節電要請）を配信（通知）する。
【００１８】
制御装置２は、施設１に設置されたコンピュータであり、需要家の施設１における１以上の機器を制御するためのネットワークに接続されている。本実施の形態では、制御装置２は、例えば、ＨＥＭＳコントローラとしての機能を有し、有線/無線通信路などＨＡＮ（Home Area Network）を介して施設１内の機器３ａ（空調機器）や機器３ｂ（照明機器）、機器３ｃ（テレビ）、機器３ｄ（冷蔵庫）、機器３ｅ（ルータ）などの１以上の機器３と通信可能であり、これら１以上の機器３を制御し得る。また、制御装置２は、ＨＡＮ（Home Area Network）を介して施設１内の分電盤４とも通信可能であり、分電盤４等の計測装置から消費電力量を示す電力情報を受信する。なお、制御装置２の詳細構成等は後述する。
【００１９】
分電盤４は、例えば図２に示すように１以上の機器３が接続されている分岐回路４１を複数備える。分電盤４は、外部の電力供給業者より供給された系統電力（商用電力）を、各々の分岐回路４１に分け、各分岐回路４１に電力を供給する。ここで、分電盤４は、各々の分岐回路４１の供給電力（消費電力）を計測する計測装置の機能を有していてもよいし、無線通信等などにより制御装置２に各々の分岐回路４１の供給電力量（消費電力量）を示す電力情報を送信する機能を有していてもよい。なお、分電盤４が各々の分岐回路４１の供給電力（消費電力）を計測する機能を有する場合に限らない。分電盤４または各々の分岐回路４１に後付で取り付けられるＣＴ（Current Transformer）等の計測装置により各々の分岐回路４１の供給電力（消費電力）を計測してもよいし、コンセントと機器３のプラグとの間に接続される計測装置により各々の分岐回路４１の供給電力（消費電力）を計測してもよい。
【００２０】
本実施の形態では、分電盤４は、例えば図３に示すように分岐回路４１ａ（分岐１）〜分岐回路４１ｅ（分岐５）を有する。分岐回路４１ａ（分岐１）には、機器３ｃ（テレビ）が接続されており、分岐回路４１ｂ（分岐２）には、機器３ｂ（照明機器）が接続されているとする。また、分岐回路４１ｃ（分岐３）には、機器３ａ（エアコン）が接続されており、分岐回路４１ｄ（分岐４）には、機器３ｄ（冷蔵庫）が接続されている。また、分岐回路４１ｅ（分岐５）には、制御装置２と機器３ｅ（ルータ）とが接続されている。分電盤４は、分岐回路４１ａ（分岐１）〜分岐回路４１ｅ（分岐５）の消費電力を計測し、制御装置２にその計測結果を送信する。
【００２１】
情報端末５は、ディスプレイ５１を有するコンピュータであり、ＨＡＮなど施設１における一以上の機器３を制御するためのネットワークに接続されている。情報端末５は、例えばスマートフォン、タブレットなど、施設１の住人等であるユーザが携帯可能な端末であり、制御装置２とＨＡＮを介して接続可能である。詳細は後述するが、本実施の形態では、情報端末５のディスプレイ５１には、制御装置２により出力された情報であって各分岐回路４１の現在の消費電力量と各分岐回路４１の過去の消費電力量とに関する情報が表示される。なお、情報端末５は、スマートフォン、タブレット等に限らず、図４に示すように、ディスプレイ５１ａを有する情報端末５ａであってもよい。
【００２２】
［制御装置２の構成］
まず、図５を用いて制御装置２のハードウェア構成について説明する。
【００２３】
図５は、実施の形態１に係る制御装置２のハードウェア構成を示す図である。
【００２４】
制御装置２は、図５に示すようにプロセッサ２０１、メモリ２０２、通信インタフェース（Ｉ／Ｆ）２０３及び入力装置２０４を備えるコンピュータである。メモリ２０２は、プログラム及びデータを予め保持しているＲＯＭ、プログラムの実行に際してデータ等の記憶に利用するためのＲＡＭ等であり、例えば不揮発性メモリを含んでいてもよい。プロセッサ２０１は、メモリ２０２に格納された制御プログラム等を実行することにより例えば通信Ｉ／Ｆ２０３等を制御して各種処理を行う。通信Ｉ／Ｆ２０３は、無線又は有線で、ＨＡＮを介して施設１内の機器３（機器３ａ〜３ｅ等）と通信し、また、機器３ｅ（ルータ）を介して外部サーバ７と通信するための通信回路である。入力装置２０４は、キーボード、ポインティングデバイス、タッチパネル等といったユーザインタフェースとなる装置であり、施設１の者（管理者、住人等）であるユーザの操作を受け付ける。なお、入力装置２０４は、情報端末５からユーザの操作を受け付ける構成であるが、ユーザの接触操作を受け付ける他、音声での操作、リモコン等での遠隔操作を受け付ける構成であってもよい。また、制御装置２は、ディスプレイ等の表示装置を備えていてもよい。
【００２５】
次に、図６を用いて制御装置２の各機能構成要素について説明する。図６は、実施の形態１に係る制御装置２の機能ブロック図である。
【００２６】
図６に示されるように、制御装置２は、記憶部２１と、制御部２２と、通信部２３とを備える。
【００２７】
記憶部２１は、データの記憶に利用するためのハードディスク装置等であり、施設１の各分岐回路４１の消費電力量についての情報を蓄積して記憶する機能を有する。
【００２８】
通信部２３は、プロセッサ２０１及び通信Ｉ／Ｆ２０３により実現され、機器３や分電盤４等と通信する機能を有する。本実施の形態では、通信部２３は、機器３ｅ（ルータ）を介して外部サーバ７と通信可能であり、外部サーバ７からのＤＲ要請（節電要請）の通知を受信する。また、通信部２３は、分電盤４等の計測装置から各分岐回路４１の消費電力量を示す情報を取得する。
【００２９】
制御部２２は、図６に示されるように、決定部２２１、取得部２２２、画面生成部２２３および出力部２２４を有する。制御部２２は、プロセッサ２０１、通信Ｉ／Ｆ２０３および入力装置２０４により実現される。本実施の形態では、制御部２２は、需要家の施設１がＤＲ要請（節電要請）の対象となっている第１期間、または、第１期間より前の所定の期間である第２期間において、施設１の各分岐回路４１の現在の消費電力量である第１消費電力量および施設１の各分岐回路４１の過去の消費電力量である第２消費電力量を取得して生成した第１消費電力量および第２消費電力量に関する情報を共に示す画面を情報端末５にディスプレイ５１で表示させる制御を行う。ここで、第２期間は、制御部２２が第１期間に施設１が節電要請の対象になっている旨を示すＤＲ要請の通知を受信した時点から開始する期間である。図７は、実施の形態１に係る第２期間を示す図である。つまり、第２期間は、図７に示すように、ＤＲ要請の通知を受信した時点から、施設１がＤＲ要請（節電要請）の対象になっている期間である第１期間の開始時点までの期間である。なお、第２期間は、制御部２２がＤＲ要請の通知を受信した時点から開始する場合に限らず、ＤＲ要請の通知を上記一以上の機器３のいずれかまたは情報端末５が受信した時点から開始してもよい。
【００３０】
また、制御部２２は、通信部２３を介して、外部サーバ７からのＤＲ要請の通知を取得し、分電盤４等の計測装置から各分岐回路４１の消費電力量を示す情報を取得する。
【００３１】
以下、制御部２２の各機能構成を用いて具体的に説明する。
【００３２】
決定部２２１は、取得部２２２が取得すべき第１消費電力量および第２消費電力量を決定する。一例としては、決定部２２１は、第１消費電力量が現在を含む時間帯における各分岐回路４１の消費電力量であり、第２消費電力量が現在を含む時間帯と同一の過去の時間帯における各分岐回路４１の消費電力量であると決定する。なお、決定部２２１は必須の構成ではなく、決定部２２１の機能が取得部２２２に包含されているとしてもよい。
【００３３】
取得部２２２は、需要家の施設１がＤＲ要請（節電要請）の対象となっている第１期間、または、第１期間より前の所定の期間である第２期間において、施設１の各分岐回路４１の現在の消費電力量である第１消費電力量および施設１の各分岐回路４１の過去の消費電力量である第２消費電力量を示す情報を取得する。つまり、取得部２２２は、遂次に第１消費電力量および第２消費電力量を示す情報を取得するのではなく、第１期間または第２期間に第１消費電力量および第２消費電力量を示す情報を取得する。
【００３４】
本実施の形態では、取得部２２２は、機器３ｅ（ルータ）を介して外部サーバ７からのＤＲ要請の通知を取得する。ここで、ＤＲ要請には、施設１がＤＲ要請（節電要請）の対象となっている第１期間が示されている。取得部２２２は、決定部２２１により決定された第１消費電力量および第２消費電力量を示す情報を、第１期間または第２期間に取得する。例えば、取得部２２２は、決定部２２１の決定に従って、第１消費電力量として現在の時刻を含む時間帯における各分岐回路４１の消費電力量を示す情報を分電盤４等の計測装置から取得し、第２消費電力量として現在の時刻と同一の過去の時刻を含む時間帯における各分岐回路４１の消費電力量を示す情報を、記憶部２１から取得してもよい。また、例えば、取得部２２２は、決定部２２１の決定に従って、第１消費電力量として現在の季節における各分岐回路４１の消費電力量を示す情報を分電盤４等の計測装置から取得し、第２消費電力量として現在の季節と同一の過去の季節における各分岐回路４１の消費電力量を示す情報を、記憶部２１から取得してもよい。また、例えば、取得部２２２は、施設１が過去にＤＲ要請（節電要請）の対象となった期間における各分岐回路４１の消費電力量を示す情報を、記憶部２１から取得してもよい。
【００３５】
画面生成部２２３は、取得部２２２が取得した第１消費電力量および第２消費電力量を示す情報から、第１消費電力量および第２消費電力量に関する情報を共に（一画面で）示す画面を生成する。本実施の形態では、画面生成部２２３は、情報端末５のディスプレイ５１で表示させるための画面を生成する。
【００３６】
ここで、画面生成部２２３が生成する画面の一例について説明する。図８および図９は、実施の形態１に係る情報端末５のディスプレイ５１に表示される画面の一例を示す図である。
【００３７】
取得部２２２が第１消費電力量として現在の時刻を含む時間帯すなわち現在（本日であるＸ月Ｙ日）における各分岐回路４１の消費電力量を示す情報を分電盤４等の計測装置から遂次取得しており、第２消費電力量として現在の時刻と同一の過去の時刻を含む時間帯すなわち昨年のＸ月Ｙ日における各分岐回路４１の消費電力量を示す情報を、記憶部２１から取得しているとする。この場合、画面生成部２２３は、例えば図８に示すように、現在（Ｘ月Ｙ日）の各分岐回路４１の消費電力量および過去（昨年のＸ月Ｙ日）の各分岐回路４１の消費電力量に関する情報を情報端末５のディスプレイ５１に並べて（一画面で）表示させる画面を生成する。なお、図８の現在（Ｘ月Ｙ日）の各分岐回路４１の消費電力量に関する情報には、過去（昨年のＸ月Ｙ日）の各分岐回路４１の消費電力量を点線で示す情報が含まれていてもよい。また、画面生成部２２３は、例えば図９に示すように、現在（Ｘ月Ｙ日）の各分岐回路４１の消費電力量および過去（昨年のＸ月Ｙ日）の各分岐回路４１の消費電力量に関する情報を情報端末５のディスプレイ５１に分岐回路４１ごとに並べて（一画面で）表示させる画面を生成してもよい。
【００３８】
なお、図８および図９では、現在の時刻を含む時間帯および現在の時刻と同一の過去の時刻を含む時間帯として「日」つまり、現在と過去のＸ月Ｙ日を例示したがそれに限らない。現在の時刻を含む時間帯および現在の時刻と同一の過去の時刻を含む時間帯として、「同日時間帯」つまり、現在と過去のＸ月Ｙ日のａａ時〜ｂｂ時の時間帯であってもよい。
【００３９】
出力部２２４は、画面生成部２２３が生成した画面を情報端末５のディスプレイ５１で表示させる制御を情報端末５のコンピュータに対して行う。本実施の形態では、出力部２２４は、画面生成部２２３が生成した画面を情報端末５に出力することで、当該画面を情報端末５のディスプレイ５１で表示させる制御を行うことができる。
【００４０】
［制御装置２の動作］
次に、以上のように構成される制御装置２の動作例として、ＤＲ要請の通知を受信してから画面生成部２２３が生成した画面を情報端末５に出力するまでの処理について説明する。
【００４１】
図１０は、実施の形態１に係る制御装置２の動作例を示すシーケンス図である。図１１は、図１０のＳ２の詳細動作を示すフローチャートである。以下、図１０および図１１に即して制御装置２の動作を説明する。
【００４２】
まず、制御装置２は、外部サーバ７からのＤＲ要請の通知（Ｓ１）を受信すると、需要家の施設１がＤＲ要請（節電要請）の対象となっている第１期間、または、第１期間より前の所定の期間である第２期間において、施設１の各分岐回路４１の現在の消費電力量である第１消費電力量および施設１の各分岐回路４１の過去の消費電力量である第２消費電力量を取得して生成した第１消費電力量および第２消費電力量に関する情報を共に示す画面を情報端末５にディスプレイ５１で表示させる制御を行う（Ｓ２）。すると、情報端末５はディスプレイ５１に画面を表示する（Ｓ３）。
【００４３】
ここで、図１１を用いて図１０に示すＳ２の詳細動作について説明する。
【００４４】
まず、制御装置２は、外部サーバ７からのＤＲ要請の通知を受信すると（Ｓ２１）、制御装置２は、取得すべき第１消費電力量および第２消費電力量を決定して（Ｓ２２）、Ｓ２２で決定した第１消費電力量および第２消費電力量を示す情報を取得する（Ｓ２３）。次に、制御装置２は、Ｓ２３で取得した第１消費電力量および第２消費電力量を示す情報から、第１消費電力量および第２消費電力量に関する情報を一画面で示す画面を生成する（Ｓ２４）。そして、制御装置２は、Ｓ２４で生成した画面を情報端末５に出力し（Ｓ２５）、当該画面を情報端末５のディスプレイ５１で表示させる制御を行う。ここで、ＤＲ要請には、施設１がＤＲ要請（節電要請）の対象となっている第１期間が示されている。また、外部サーバ７からのＤＲ要請の通知を受信した時点が第２期間の開始時点である。そのため、Ｓ２２〜Ｓ２５の処理は、需要家の施設１がＤＲ要請（節電要請）の対象となっている第１期間、または、第１期間より前の所定の期間である第２期間において行われる。したがって、当該画面が情報端末５のディスプレイ５１で表示されるのは、当該第１期間、または、当該第２期間である。
【００４５】
［効果等］
上述したように、本発明の一態様に係る制御方法は、需要家の施設における一以上の機器を制御するためのネットワークに接続された、ディスプレイを有する情報端末の制御方法であって、前記施設が節電要請の対象となっている第１期間、または、前記第１期間より前の所定の期間である第２期間において、前記施設の各分岐回路の現在の消費電力量である第１消費電力量および前記施設の前記各分岐回路の過去の消費電力量である第２消費電力量を示す情報を取得して生成した前記第１消費電力量および前記第２消費電力量に関する情報を共に示す画面を前記ディスプレイで表示させる制御を前記情報端末のコンピュータに対して行う制御ステップを含む。
【００４６】
これにより、分岐回路４１ごとに電力消費の抑制をユーザに促すことのできる制御方法を実現することができる。このように、情報端末５のディスプレイ５１に表示された過去と現在との分岐回路４１ごとの消費電力量に関する情報が表示された画面を確認することで、過去の分岐回路４１ごとの消費電力量を参考情報（ベンチマーク）として、分岐回路４１に接続されている機器３について電力消費の抑制を図ることができる。それにより、ユーザは、より容易に電力消費の抑制を図ることができるという効果を奏する。
【００４７】
ここで、例えば、前記第１消費電力量は、現在の時刻を含む時間帯における前記各分岐回路の消費電力量であり、前記第２消費電力量は、現在の時刻と同一の過去の時刻を含む時間帯における前記各分岐回路の消費電力量であってもよい。
【００４８】
これにより、現在の時刻と同一の過去の時刻を含む時間帯における前記各分岐回路の消費電力量をベンチマークとして電力消費の抑制を図ることができる。
【００４９】
また、例えば、前記第１消費電力量は、前記現在の季節における前記各分岐回路の消費電力量であり、前記第２消費電力量は、前記現在の季節と同一の過去の季節における前記各分岐回路の消費電力量であってもよい。
【００５０】
これにより、現在の季節と同一の過去の季節における前記各分岐回路の消費電力量をベンチマークとして電力消費の抑制を図ることができる。
【００５１】
また、例えば、前記第２消費電力量は、前記施設が過去に節電要請の対象となった期間における前記各分岐回路の消費電力量であってもよい。
【００５２】
これにより、施設１が過去に節電要請（ＤＲ要請）の対象となった期間における各分岐回路の消費電力量をベンチマークとして電力消費の抑制を図ることができる。
【００５３】
ここで、例えば、前記第２期間は、前記第１期間に前記施設が節電要請の対象になっている旨を示す通知が前記一以上の機器のいずれかまたは前記情報端末により受信された時点から開始する期間である。
【００５４】
このように、節電要請（ＤＲ要請）の通知後、節電要請（ＤＲ要請）の対象となった第１期間までの第２期間において、第１期間に先だって過去と現在の岐回路４１ごとの消費電力量に関する情報が表示された画面を確認することができる。それにより、節電要請（ＤＲ要請）の対象となった第１期間が開始されるまでに分岐回路４１に接続されている機器３について電力消費の抑制を図ることができるか判断することができる。つまり、事前に（第１期間が開始されるまでに）、節電要請（ＤＲ要請）を受諾できるかどうか判断することができる。
【００５５】
また、本発明の一態様に係るプログラムは、需要家の施設における一以上の機器を制御するためのネットワークに接続された、ディスプレイを有する情報端末を制御するプログラムであって、前記施設が節電要請の対象となっている第１期間、または、前記第１期間より前の所定の期間である第２期間において、前記施設の各分岐回路の現在の消費電力量である第１消費電力量および前記施設の前記各分岐回路の過去の消費電力量である第２消費電力量を取得して生成した前記第１消費電力量および前記第２消費電力量に関する情報を共に示す画面を前記ディスプレイで表示させる制御を前記情報端末のコンピュータに対して行う制御ステップを含む。
【００５６】
また、本発明の一態様に係る制御装置は、需要家の施設における一以上の機器を制御するためのネットワークに接続された、ディスプレイを有する情報端末を制御する制御装置であって、前記施設が節電要請の対象となっている第１期間、または、前記第１期間より前の所定の期間である第２期間において、前記施設の各分岐回路の現在の消費電力量である第１消費電力量および前記施設の前記各分岐回路の過去の消費電力量である第２消費電力量を取得して生成した前記第１消費電力量および前記第２消費電力量に関する情報を共に示す画面を前記ディスプレイで表示させる制御を前記情報端末に対して行う制御部を備える。
【００５７】
（変形例）
実施の形態１では、画面生成部２２３は、例えば図８や図９に示すような画面を情報端末５のディスプレイ５１で表示させるために画面を生成すると説明したが、図８や図９に示すような画面に限らない。画面生成部２２３は、図１２〜図１４に示すような画面を生成してもよい。以下、これらについて説明する。
【００５８】
図１２は、実施の形態１の変形例に係る情報端末５のディスプレイ５１に表示される画面の一例を示す図である。すなわち、画面生成部２２３は、例えば図１２に示すように、図８に示すような画面に加えて現在および過去における施設１における人の在不在の情報が追加された画面を生成してもよい。
【００５９】
より具体的には、施設１には人感センサ（不図示）が設置されており、取得部２２２が施設１に設置されている人感センサから、施設１における人の在不在の情報をさらに取得できるとする。そして、取得部２２２は、第１消費電力量として現在における各分岐回路４１の消費電力量を示す情報を分電盤４等の計測装置から遂次取得しており、施設１では人が不在であることを示す情報を取得しているとする。
【００６０】
この場合、取得部２２２は、第２消費電力量として現在の施設１における人の在否の情報（ここでは施設１が不在である情報）と同一の人の在否の情報を示す過去（Ｘ１月Ｙ１日）における各分岐回路４１の消費電力量を示す情報を、記憶部２１から取得する。画面生成部２２３は、例えば図１２に示すように、現在および過去（Ｘ１月Ｙ１日）の各分岐回路４１の消費電力量に関する情報と、現在および過去における施設１における人の在不在の情報を情報端末５のディスプレイ５１に並べて（一画面で）表示させる画面を生成する。
【００６１】
このように、第２消費電力量は、現在の施設１における人の在否の情報と同一の人の在否の情報を示す過去における各分岐回路４１の消費電力量であってもよい。そして、制御装置２は、さらに、情報端末５のディスプレイ５１に、施設１における人の在否の情報を表示させてもよい。これにより、情報端末５のディスプレイ５１に、施設１における人の在否の情報をさらに表示させることができる。
【００６２】
なお、取得部２２２が施設に存在する人の人数の情報も取得することができる場合には、画面生成部２２３は、施設１における人の在否の情報だけでなく、施設１に存在する人の人数の情報を表示させる画面を生成してもよい。これにより、情報端末５のディスプレイ５１に、施設１における人の在否の情報だけでなく、施設１に存在する人の人数の情報を表示させることができる。
【００６３】
また、取得部２２２が施設１に設置されている人感センサから、施設１における人の在不在の情報をさらに取得できるとして説明したが、それに限らない。取得部２２２が取得する第１消費電力量および第２消費電力量を示す情報から施設１における人の在不在を推定することで、施設１における人の在不在の情報をさらに取得できるとしてもよい。
【００６４】
図１３は、実施の形態１の変形例に係る情報端末５のディスプレイ５１に表示される画面の別の例を示す図である。すなわち、画面生成部２２３は、例えば図１３に示すように、図８に示すような画面に加えて現在および過去における施設１の周辺の環境情報が追加された画面を生成してもよい。
【００６５】
より具体的には、取得部２２２は、施設１の外部から、施設１の周辺の天気や温度、湿度など施設１の周辺の環境情報をさらに取得できるとする。そして、取得部２２２は、第１消費電力量として現在における各分岐回路４１の消費電力量を示す情報を分電盤４等の計測装置から遂次取得しており、施設１の周辺の環境情報が晴れであることを示す情報を取得しているとする。
【００６６】
この場合、取得部２２２は、第２消費電力量として施設１の周辺の現在の環境情報（ここでは晴れの情報）と同一の施設１の周辺の環境情報を示す過去（Ｘ２月Ｙ２日）における各分岐回路４１の消費電力量を示す情報を、記憶部２１から取得する。画面生成部２２３は、例えば図１３に示すように、現在のおよび過去（Ｘ２月Ｙ２日）の各分岐回路４１の消費電力量に関する情報と、現在および過去における施設１における周辺の環境情報を情報端末５のディスプレイ５１に並べて（一画面で）表示させる画面を生成する。
【００６７】
このように、第２消費電力量は、現在の施設１の周辺の環境情報と同一の施設１の周辺の環境情報を示す過去における各分岐回路の消費電力量であってもよい。そして、制御装置２は、さらに、情報端末５のディスプレイ５１に、施設１の周辺の環境情報を表示させてもよい。
【００６８】
図１４は、実施の形態１の変形例に係る情報端末５のディスプレイ５１に表示される画面のさらに別の例を示す図である。すなわち、画面生成部２２３は、例えば図１４に示すように、図８に示すような画面に加えて各分岐回路４１に接続されている一以上の機器３の種類または名称が追加された画面を生成してもよい。
【００６９】
より具体的には、ユーザ等が予め各々の分岐回路４１に名称を付与して記憶部２１に記憶してもよいし、分電盤４が各分岐回路４１に接続されている一以上の機器３の種類または名称を取得できてもよい。つまり、取得部２２２が記憶部２１から名称を取得してもよいし、取得部２２２が分岐回路４１および機器３と通信することでこれらを取得してもよいし、分電盤４が分岐回路４１と通信して機器３の種類のみ若しくは種類および名称を取得して取得部２２２が分電盤４からこれらを取得してもよい。取得方法は問わない。
【００７０】
本変形例では、取得部２２２は、記憶部２１から、各分岐回路４１に接続されている一以上の機器３の種類または名称さらに取得できるとする。そして、取得部２２２は、第１消費電力量として現在における各分岐回路４１の消費電力量を示す情報を分電盤４等の計測装置から遂次取得しており、記憶部２１から、各分岐回路４１に接続されている一以上の機器３の種類または名称を取得しているとする。
【００７１】
この場合、取得部２２２は、第１消費電力量として現在（本日であるＸ月Ｙ日）における各分岐回路４１の消費電力量を示す情報を分電盤４等の計測装置から遂次取得しており、第２消費電力量として昨年のＸ月Ｙ日における各分岐回路４１の消費電力量を示す情報を、記憶部２１から取得する。画面生成部２２３は、例えば図１４に示すように、現在（Ｘ月Ｙ日）および過去（昨年のＸ月Ｙ日）の各分岐回路４１の消費電力量に関する情報と、それに加えて各分岐回路４１に接続されている一以上の機器３の種類または名称を情報端末５のディスプレイ５１に並べて（一画面で）表示させる画面を生成してもよい。
【００７２】
このように、制御装置２は、図１４に示すように、現在（Ｘ月Ｙ日）および過去（昨年のＸ月Ｙ日）の各分岐回路４１の消費電力量に関する情報を一画面で表示させる画面に加えて各分岐回路４１に接続されている一以上の機器３の種類または名称を、情報端末５のディスプレイ５１に、表示させてもよい。
【００７３】
なお、制御装置２は、各分岐回路４１に接続されている一以上の機器３の動作状況を取得できる場合には、図１４に示す画面に加えて、各分岐回路４１に接続されている一以上の機器３それぞれの動作状況を、情報端末５のディスプレイ５１に表示させてもよい。
【００７４】
また、分電盤４または各分岐回路４１が、各分岐回路４１に接続されている一以上の機器３を把握でき、その情報を制御装置２に送信できる場合には、制御装置２は、各分岐回路４１に接続されている一以上の機器３を取得し、その情報を情報端末５のディスプレイ５１に表示させてもよい。例えば、制御装置２は、第１期間または第２期間、および、施設１が過去に節電要請の対象となった期間において、各分岐回路４１に共通して接続されている一以上の機器３の種類または名称と、各分岐回路４１に異なって接続されている一以上の機器３の種類または名称とを分けて示す画面を、情報端末５のディスプレイ５１に表示させてもよい。
【００７５】
なお、図１４には、各分岐回路４１（図で分岐１〜分岐４）に対して、機器３の名称を１つずつ表示しているが、複数の機器３が接続されている分岐回路４１については、複数の機器３の名称を表示してもよいし、複数の機器３のうち、いずれかの機器３の名称を表示してもよい。
【００７６】
［効果等］
上述したように、本変形例によれば、本発明の一態様に係る制御方法は、例えば、前記第２消費電力量は、前記現在の前記施設における人の在否の情報と同一の人の在否の情報を示す過去における前記各分岐回路の消費電力量であってもよい。
【００７７】
ここで、例えば、前記制御ステップでは、さらに、前記ディスプレイに、前記施設における人の在否の情報を表示させる制御を行うステップを含んでいてもよい。また、前記制御ステップでは、さらに、前記ディスプレイに、前記施設に存在する人の人数の情報を表示させる制御を行うステップを含んでいてもよい。
【００７８】
これらにより、現在の施設１における人の在否の情報と同一の人の在否の情報を示す過去における各分岐回路４１の消費電力量をベンチマークとして電力消費の抑制を図ることができる。
【００７９】
また、例えば、前記第２消費電力量は、前記現在の前記施設の周辺の環境情報と同一の前記施設の周辺の環境情報を示す過去における前記各分岐回路の消費電力量であってもよい。
【００８０】
ここで、例えば、前記制御ステップでは、さらに、前記ディスプレイに前記施設の周辺の環境情報を表示させるステップを含んでいてもよい。
【００８１】
これらにより、現在の施設１の周辺の環境情報と同一の施設１の周辺の環境情報を示す過去における各分岐回路４１の消費電力量をベンチマークとして電力消費の抑制を図ることができる。
【００８２】
また、例えば、前記制御ステップでは、さらに、前記ディスプレイに前記各分岐回路に接続されている一以上の機器の種類または名称を表示させる制御を行うステップを含んでいてもよい。
【００８３】
さらに、例えば、前記制御ステップでは、さらに、前記ディスプレイに前記各分岐回路に接続されている一以上の機器それぞれの動作状況を表示させる制御を行うステップを含んでいてもよい。また、前記制御ステップでは、さらに、前記第１期間または前記第２期間、および、前記施設が過去に節電要請の対象となった期間において、前記各分岐回路に共通して接続されている一以上の機器の種類または名称と、前記各分岐回路に異なって接続されている一以上の機器の種類または名称とを分けて、前記ディスプレイに表示させる制御を行うステップを含んでいてもよい。
【００８４】
これにより、分岐回路４１よりもさらに小さな単位である機器３ごとの過去の電力消費に関する情報ベンチマークとして、分岐回路ごとに電力消費の抑制を図ることができる。
【００８５】
（実施の形態２）
実施の形態１では、情報端末５のディスプレイ５１に過去と現在とにおける岐回路４１ごとの消費電力量に関する情報が表示された画面を表示することで、ユーザに分岐回路ごとに電力消費の抑制を促すことについて説明した。本実施の形態では、上記のような画面を表示するだけでなく、上記のような画面を通じて１以上の機器３の制御を図ることができる場合の例について説明する。本実施の形態に係る制御装置２ａ以外の構成は実施の形態１で説明したものと同様であるのでここでの説明は省略する。
【００８６】
［制御装置２ａの構成］
図１５は、実施の形態２に係る制御装置２ａの機能ブロック図である。図１６は、実施の形態２に係る情報端末５のディスプレイ５１に表示される画面の一例を示す図である。なお、図６、図８および図１４と同様の要素には同一の符号を付しており、詳細な説明は省略する。
【００８７】
図１５に示す制御装置２ａは、実施の形態１に係る制御装置２に対して、制御実行部２４の構成が追加され、取得部２２２ａと画面生成部２２３ａの構成が異なる。
【００８８】
取得部２２２ａは、実施の形態１で説明した取得部２２２の機能を有し、さらに、各分岐回路４１に接続されている一以上の機器３の動作状況を取得する。
【００８９】
画面生成部２２３ａは、実施の形態１で説明した画面生成部２２３の機能を有する。また、画面生成部２２３ａは、例えば図１６に示すように、第１消費電力量および第２消費電力量に関する情報を共に（一画面で）示す画面に、取得部２２２ａが取得した一以上の機器３の動作状況に基づいて、一以上の機器３の制御用ボタンが表示された画面を生成する。なお、図１６に示す例では、情報端末５のディスプレイ５１で「ＯＮ」および「ＯＦＦ」と表示される制御用ボタンのうち「ＯＮ」と表示される制御用ボタンが網掛けで表示され、「ＯＦＦ」と表示される制御用ボタンが白抜きで表示されており、「ＯＦＦ」と表示される制御用ボタンが入力可能状態であることから、当該制御ボタンの横に並んで表示されている機器３（例えばテレビ等）の電源がＯＮであるという動作状況を示している。なお、情報端末５のディスプレイ５１で「詳細制御」と表示される制御用ボタンは、当該制御ボタンの横に並んで表示されている機器３（例えばテレビ等）に対して、例えばタイマー制御や動作モードの変更等の詳細な制御の設定をするための設定画面に遷移するためのものであり、当該設定画面にリンクされている。
【００９０】
制御実行部２４は、情報端末５のディスプレイ５１に対するユーザの入力を受け付けて、ユーザの入力を受け付けた機器３の制御を実行する。例えば、図１６に示す例では、情報端末５のディスプレイ５１に表示された「ＯＦＦ」と表示される制御用ボタンをユーザが押すと、当該制御ボタンの横に並んで表示されている機器３（例えばテレビ等）の電源をＯＦＦすることができることを意味する。すなわち、制御実行部２４は、情報端末５のディスプレイ５１に表示された制御用ボタンに対するユーザの入力を受け付けて、当該制御用ボタンに紐付けられている機器３の制御を実行する。
【００９１】
なお、図１６には、各分岐回路４１（図で分岐１〜分岐４）に対して、機器３の名称を１つずつ表示しているが、複数の機器３が接続されている分岐回路４１については、複数の機器３の名称を表示してもよいし、複数の機器３のうち、いずれかの機器３の名称を表示してもよい。
【００９２】
また、図１６には、各分岐回路４１（図で分岐１〜分岐４）に対して、詳細制御ボタンが１つずつ表示されているが、複数の機器３が接続されている分岐回路４１については、複数の詳細制御ボタンを表示してもよいし、複数の機器３のうち、いずれかの機器３の詳細制御ボタンを表示してもよい。
【００９３】
［効果等］
上述したように、本実施の形態によれば、制御装置２ａは、第１消費電力量および第２消費電力量に関する情報を共に（一画面で）示す画面に、一以上の機器３の制御用ボタンが表示された画面を生成して情報端末５のディスプレイ５１に表示させる。これにより、ユーザは、情報端末５のディスプレイ５１を見ながら、過去の電力消費に関する情報ベンチマークとして、分岐回路ごとに電力消費の抑制を図ることができる。
【００９４】
（変形例）
なお、上記では、図１６に示された「詳細制御」と表示される制御用ボタンは設定画面に遷移するためのものであるとして説明したがそれに限らない。
【００９５】
ユーザが情報端末５のディスプレイ５１に表示される「詳細制御」の制御用ボタンの一を押圧することで、当該制御ボタンの横に並んで表示されている一の分岐回路４１を制御するための画面に遷移するとしてもよい。
【００９６】
以下、この場合の例について図を用いて説明する。また、以下では、一の分岐回路４１として、分岐１すなわち分岐回路４１ａ（分岐１）を制御するための画面に遷移し、当該分岐回路４１ａには、機器３ｃ（テレビ）以外にもＤＶＤ機器や照明機器などの複数の機器３が接続されているとして説明する。
【００９７】
図１７は、実施の形態２の変形例に係る情報端末５のディスプレイ５１に表示される遷移画面の一例を示す図である。
【００９８】
図１７に示す遷移画面では、分岐回路４１ａ（分岐１）の現在の消費電力量を円５２で表示し、分岐回路４１ａ（分岐１）の過去の消費電力量を円５２中の点線の円で表示されている。一点鎖線の円は、分岐回路４１ａ（分岐１）に対する電力削減目標値を示している。この電力削減目標値は、ディスプレイ５１でのドラッグ操作など情報端末５のコンピュータに対するユーザ操作により変更できる。矢印５３は、電力削減目標値がユーザ操作により変更可能であることを示している。
【００９９】
円５２の上部には、分岐回路４１ａ（分岐１）に接続されているテレビ、ＤＶＤ機器および照明機器などの複数の機器３が表示されている。また、枠５４には、現在の（表示されている）電力削減目標値を実現する分岐回路４１ａ（分岐１）接続される複数の機器３の制御方法が提案（表示）されており、この内容は電力削減目標値と連動して変化する。図１７に示す例では、現在の電力削減目標値を実現するには、テレビの電源をＯＦＦし、照明機器の光を５０％減光すればよいことが示されている。
【０１００】
制御実行ボタン５６は、現在の（表示されている）電力削減目標値を実現する分岐回路４１ａ（分岐１）接続される複数の機器３の制御方法を実行するためのボタンであり、ユーザにより押圧等で選択（実行）されると、その制御方法を実行する。
【０１０１】
次に、実施の形態２の変形例に係る制御装置２ａの動作について説明する。図１８は、実施の形態２の変形例に係る制御装置２ａの動作例を示すフローチャートである。以下、図１８に即して制御装置２ａの動作を説明する。
【０１０２】
まず、制御装置２ａは、ドラッグにより一の分岐回路４１の削減目標値が変更されると（Ｓ４１）、変更した削減目標値を実現するための機器３に対する制御方法をディスプレイ５１に表示する（Ｓ４２）。
【０１０３】
具体的には、施設１の少なくとも一の分岐回路４１に対する電力削減目標値であって情報端末５のコンピュータに対するユーザ操作により変更可能な電力削減目標値を示す情報は、第１消費電力量に関する情報を示す画面に重畳して、ディスプレイ５１に表示される。そのため、ドラッグ等のユーザ操作により一の分岐回路４１の削減目標値が変更されると、ディスプレイ５１に変更した削減目標値が反映される。そして、変更された削減目標値を実現するための一の分岐回路４１に接続されている機器３に対する制御方法がディスプレイ５１に表示される。
【０１０４】
そして、ユーザは、表示された制御方法を実行するか否かを判断し、実行すると判断した場合（Ｓ４３でＹｅｓ）、制御装置２ａは、その制御方法を実行する（Ｓ４４）。つまり、ユーザは、図１７で示されたような制御方法を実行するか否かを判断し、実行すると判断した場合、ディスプレイ５１に表示されている制御実行ボタン５６を選択等して制御装置２ａに、その制御方法を実行させる。制御装置２ａは、当該画面に重畳された電力削減目標値の実現する一の分岐回路に接続される一以上の機器の制御を実行する。
【０１０５】
なお、遷移画面において一の分岐回路４１を制御する方法は上述の場合に限らない。図１９は、実施の形態２の変形例に係る情報端末５のディスプレイ５１に表示される遷移画面の別の一例を示す図である。図１７と同様の要素には同一の符号を付しており、詳細な説明は省略する。すなわち、図１９に示す遷移画面では、制御実行ボタン５７が追加されている。この場合、ユーザは、上述したような電力削減目標値を決める動作を行いたくない場合、この制御実行ボタン５７を実行することで、前回（過去）と同じ動作モードに設定することができる。図１９に示す例では、前回（過去）と同じ動作モードとは、過去の消費電力における分岐回路４１ａ（分岐１）接続される複数の機器３の制御方法である。
【０１０６】
なお、図８のように、各分岐回路４１（図で分岐１〜分岐４）の消費電力を棒グラフ状で表示する場合に限らず、図１７や図１９のように、円グラフ状で表示するものであってもよい。また、円グラフ状以外の表示形態であってもよい。
【０１０７】
（他の実施の形態等）
上述した実施の形態は一例にすぎず、各種の変更、付加、省略等が可能であることは言うまでもない。
【０１０８】
なお、上述の実施の形態では、制御装置２は、施設１における制御対象の機器３が制御できればよいので、施設１の内外に設置される装置（据え置き型の装置）である場合に限らない。例えば、施設１の管理者、住人等に保有され可搬性を有する装置（例えば携帯端末等）であってもよい。また、制御装置２は、施設の外部に設置されるサーバ等であってもよい。
【０１０９】
また、上述した制御部２２における決定部２２１、取得部２２２、画面生成部２２３及び出力部２２４の機能分担は任意であり、一方の機能の一部又は全部を他方が包含し得る。
【０１１０】
また、上述の実施の形態では、制御装置２は、記憶部２１を備えるとして説明したが、それに限らない。他の装置が記憶部２１を備えるとしてもよい。例えば、過去の消費電力の計測データをサーバ側で保持するような場合、サーバが他の装置として記憶部２１を備えてもよい。さらに、サーバと制御装置２との機能分担は任意である。具体的には、上述した制御部２２における決定部２２１、取得部２２２、画面生成部２２３及び出力部２２４、および、記憶部２１の機能分担は任意であり、一方の機能の一部又は全部を他方が包含し得る。
【０１１１】
また、上述の制御装置２等の動作手順の全部又は一部は、制御装置２等のハードウェアにより実現されても、ソフトウェアを用いて実現されてもよい。なお、ソフトウェアによる処理は、制御装置２等に含まれるプロセッサがメモリに記憶された制御プログラムを実行することにより実現されるものである。また、その制御プログラムを記録媒体に記録して頒布や流通させてもよい。例えば、頒布された制御プログラムを装置にインストールして、装置のプロセッサに実行させることで、その装置に、例えば上述した制御装置２等の動作の全部又は一部を行わせることが可能となる。
【０１１２】
また、上述した実施の形態で示した構成要素及び機能を任意に組み合わせることで実現される形態も本発明の範囲に含まれる。
【０１１３】
なお、本発明の包括的又は具体的な各種態様には、装置、システム、方法、集積回路、コンピュータプログラム、コンピュータで読み取り可能な記録媒体等の１つ又は複数の組み合わせが含まれる。
【０１１４】
その他、上記実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【０１１５】
１  施設
２  制御装置
３  機器
５  情報端末
２４  制御実行部
４１  分岐回路
５１  ディスプレイ
【図１】
2017038452.tif 000003
【図２】
2017038452.tif 000004
【図３】
2017038452.tif 000005
【図４】
2017038452.tif 000006
【図５】
2017038452.tif 000007
【図６】
2017038452.tif 000008
【図７】
2017038452.tif 000009
【図８】
2017038452.tif 000010
【図９】
2017038452.tif 000011
【図１０】
2017038452.tif 000012
【図１１】
2017038452.tif 000013
【図１２】
2017038452.tif 000014
【図１３】
2017038452.tif 000015
【図１４】
2017038452.tif 000016
【図１５】
2017038452.tif 000017
【図１６】
2017038452.tif 000018
【図１７】
2017038452.tif 000019
【図１８】
2017038452.tif 000020
【図１９】
2017038452.tif 000021